(57)【要約】      （修正有）【課題】日用品の技術分野に属し、上部繊維層、下部繊維層および充填層を含む脱臭・除湿マットを提供する。【解決手段】上部繊維層１１のエッジは下部繊維層１２のエッジに接続され、充填層２は前記上部繊維層と前記下部繊維層の間に配置され、前記充填層は均一に混合された珪藻土粒子、シリカゲル粒子および備長炭粒子を含む。使用する場合、該脱臭・除湿マットはマットレスまたはベッドマットの下に配置でき、マットレスまたはベッドマットの水分は珪藻土粒子およびシリカゲル粒子によって吸収され、ダニ、バクテリアおよびカビの繁殖を抑制し、且つ充填層の備長炭は優れた脱臭効果を有する。【選択図】図１
0003225088.tif 000002
【実用新案登録請求の範囲】
【請求項１】
脱臭・除湿マットであって、上部繊維層（１１）、下部繊維層（１２）および充填層（２）を含み、
前記上部繊維層（１１）のエッジは前記下部繊維層（１２）のエッジに接続され、前記充填層（２）は前記上部繊維層（１１）と前記下部繊維層（１２）の間に配置され、
前記充填層（２）は均一に混合された珪藻土粒子（２１）、シリカゲル粒子（２２）および備長炭粒子（２３）を含むことを特徴とする脱臭・除湿マット。
【請求項２】
前記充填層（２）は固体ゴム層（２４）をさらに含み、前記珪藻土粒子（２１）、前記シリカゲル粒子（２２）および前記備長炭粒子（２３）は前記固体ゴム層（２４）内に均一に混合されることを特徴とする請求項１に記載の脱臭・除湿マット。
【請求項３】
前記上部繊維層（１１）上に脱臭・除湿マットの湿度状態を判定するための湿度インジケータカード（３）が設けられていることを特徴とする請求項２に記載の脱臭・除湿マット。
【請求項４】
エッジカバー層（４）をさらに含み、前記上部繊維層（１１）のエッジは前記エッジカバー層（４）を介して前記下部繊維層（１２）のエッジに接続されることを特徴とする請求項３に記載の脱臭・除湿マット。
【請求項５】
前記上部繊維層（１１）、前記下部繊維層（１２）および前記エッジカバー層（４）はすべてニードルパンチ不織布であることを特徴とする請求項４に記載の脱臭・除湿マット。
【請求項６】
前記固体ゴム層（２４）はエチレンポリマーで形成されていることを特徴とする請求項５に記載の脱臭・除湿マット。
【請求項７】
前記シリカゲル粒子（２２）はＢ型シリカゲルであり、前記シリカゲル粒子（２２）は球状または塊状の粒子であることを特徴とする請求項１〜６のいずれか1項に記載の脱臭・除湿マット。
【請求項８】
前記上部繊維層（１１）および前記下部繊維層（１２）には、抗菌繊維がそれぞれ設けられていることを特徴とする請求項７に記載の脱臭・除湿マット。
【請求項９】
前記充填層（２）の坪量は１００〜２５０ｇ／ｍ２であることを特徴とする請求項１に記載の脱臭・除湿マット。
【請求項１０】
前記上部繊維層（１１）および前記下部繊維層（１２）の坪量は８０〜２５０ｇ／ｍ２であることを特徴とする請求項９に記載の脱臭・除湿マット。
【考案の詳細な説明】
【技術分野】
【０００１】
本考案は、日用品の技術分野に属し、具体的には、珪藻土、備長炭入りで洗濯できる脱臭・除湿マットに関する。
【背景技術】
【０００２】
経済レベルの向上により、生活の質に対する人々の要求はますます高くなっている。家庭用品としてのマットレスは、断熱性と快適さを備えているだけでは人々の要求を完全に満たすことができず、人々はマットレスのヘルスケア機能にますます注意を払うため、高品質の睡眠環境を創出する必要がある。
【０００３】
従来技術では、マットレスなどを長期間交換または洗浄しないと、その湿度（水分）が上昇し、ダニ、バクテリア、およびカビなどが容易に繁殖し、臭気が発生し、人間の健康に非常に悪い影響を与えるため、脱臭および除湿機能を有するマットレスを提供することは、当業者によって解決されるべき技術的課題である。
【考案の概要】
【考案が解決しようとする課題】
【０００４】
従来技術においてマットレスなどの高湿度によるダニ、バクテリアの繁殖および臭気などに起因して人間の健康に悪影響を与えるという技術的課題を解決するために、本考案は、従来技術の上記問題を解決した脱臭・除湿マットを提供する。
【課題を解決するための手段】
【０００５】
本考案は、以下の技術的解決手段によって実現される。
【０００６】
上部繊維層、下部繊維層および充填層を含み、
前記上部繊維層のエッジは前記下部繊維層のエッジに接続され、前記充填層は前記上部繊維層と前記下部繊維層の間に配置され、
前記充填層は均一に混合された珪藻土粒子、シリカゲル粒子および備長炭粒子を含む脱臭・除湿マットである。
【０００７】
本考案をより良く実現するために、上記構造のさらなる改良として、前記充填層は固体ゴム層をさらに含み、前記珪藻土粒子、前記シリカゲル粒子および前記備長炭粒子は前記固体ゴム層内に均一に混合される。
【０００８】
本考案をより良く実現するために、上記構造のさらなる改良として、前記上部繊維層上に脱臭・除湿マットの湿度状態を判定するための湿度インジケータカードが設けられている。
【０００９】
本考案をより良く実現するために、上記構造のさらなる改良として、該脱臭・除湿マットはエッジカバー層をさらに含み、前記上部繊維層のエッジは前記エッジカバー層を介して前記下部繊維層のエッジに接続される。
【００１０】
本考案をより良く実現するために、上記構造のさらなる改良として、前記上部繊維層、前記下部繊維層および前記エッジカバー層はすべてニードルパンチ不織布である。
【００１１】
本考案をより良く実現するために、上記構造のさらなる改良として、前記固体ゴム層はエチレンポリマーで形成されている。
【００１２】
本考案をより良く実現するために、上記構造のさらなる改良として、前記シリカゲル粒子はＢ型シリカゲルであり、前記シリカゲル粒子は球状または塊状の粒子である。
【００１３】
本考案をより良く実現するために、上記構造のさらなる改良として、前記上部繊維層および前記下部繊維中には、抗菌繊維がそれぞれ設けられている。
【００１４】
本考案をより良く実現するために、上記構造のさらなる改良として、前記充填層の坪量は１００-２５０ｇ／ｍ２である。
【００１５】
本考案をより良く実現するために、上記構造のさらなる改良として、前記上部繊維層および前記下部繊維層の坪量は８０-２５０ｇ／ｍ２である。
以上のように、本考案は以下の技術的効果を有する。
【考案の効果】
【００１６】
該脱臭・除湿マットはマットレスまたはベッドマットの下に配置でき、マットレスまたはベッドマットの水分は珪藻土粒子およびシリカゲル粒子によって吸収され、ダニ、バクテリアおよびカビの繁殖を抑制し、且つ充填層の備長炭は優れた脱臭効果を有するため、該脱臭・除湿マットはユーザにより快適な生活環境を提供することができる。
【００１７】
また、本考案の改良手段は以下の技術的効果も有する。
【００１８】
（１）本考案の改良手段として、充填層は固体ゴム層をさらに含み、該固体ゴム層は、珪藻土粒子、シリカゲル粒子および備長炭粒子の位置の変化による脱臭・除湿マットの構造の変化を抑制でき、且つ固体ゴム層は該脱臭・除湿マットの快適性を効果的に向上できる。
【００１９】
（２）本考案の改良手段として、上部繊維層上に脱臭・除湿マット内の湿度状況を検出可能な湿度インジケータカードが設けられ、ユーザは該脱臭・除湿マットの状態を直感的に理解し、それを日干し、乾燥または交換することができるため、ユーザにより良好な生活環境を提供する。
【００２０】
（３）本考案の改良手段として、上部繊維層、下部繊維層およびエッジカバー層はすべてニードルパンチ不織布で形成され、ニードルパンチ不織布は優れた引張強度を有するとともに良好な通気効果を有するため、該脱臭・除湿マットの脱臭・除湿の効果を向上させる。
【００２１】
（４）本考案の改良手段として、上部繊維層および下部繊維層に抗菌繊維がそれぞれ設けられ、該抗菌繊維は該脱臭・除湿マットの抗菌効果を向上でき、ユーザにより良好な生活環境を提供する。
【図面の簡単な説明】
【００２２】
本考案の実施例または従来技術の技術的解決手段をより明確に例示するために、実施例または従来技術の説明で使用される図面について以下に簡単に説明するが、これは本考案のいくつかの実施例に過ぎず、当業者は創造的な労働をせずにこれらの図面に基づいて他の図面を得ることができるのは言うまでもない。
【図１】図１は本考案の脱臭・除湿マットの断面構造図である。
【図２】図２は図１のＡ部分の部分拡大図である。
【考案を実施するための形態】
【００２３】
本考案の目的、技術的解決手段および利点をより明確にするために、本考案の技術的解決手段を以下に詳細に説明する。説明する実施例は、本考案の実施例の一部に過ぎず、すべての実施例ではないことは明らかである。本考案の実施例に基づいて、当業者が創造的な労働をせずに得られるすべての実施形態は、すべて本考案の保護範囲に含まれる。
【００２４】
実施例：
図１および図２に示すように、
脱臭・除湿マットは、上部繊維層１１、下部繊維層１２および充填層２を含み、
上部繊維層１１のエッジは下部繊維層１２のエッジに接続され、充填層２は上部繊維層１１と下部繊維層１２の間に配置され、
充填層２は均一に混合された珪藻土粒子２１、シリカゲル粒子２２および備長炭粒子２３を含む。
【００２５】
上記構造の脱臭・除湿マットを使用する場合、ユーザは該脱臭・除湿マットをマットレスまたはベッドマットの下に配置でき、該脱臭・除湿マット内の珪藻土粒子２１およびシリカゲル粒子２２中の小孔によってマットレスまたはベッドマットの水分を吸収し、マットレスまたはベッドマットのダニおよびカビの繁殖を抑制し、且つ空気乾燥の場合、珪藻土粒子２１はその内部から水分を自動的に放出して環境の湿度バランスを調整する効果を達成できる。
【００２６】
また、充填層２中の備長炭は脱臭効果を有するため、ユーザにより快適な生活環境を提供する。
【００２７】
好ましくは、該充填層２は固体ゴム層２４をさらに含み、上記の珪藻土粒子２１、シリカゲル粒子２２および備長炭粒子２３はすべて、固体ゴム層２４中に均一に混合され、珪藻土粒子２１、シリカゲル粒子２２および備長炭粒子２３の位置の変化はなく、該脱臭・除湿マットは部分的な凹凸を有さず、固体ゴム層２４は該脱臭・除湿マットの柔らかさを改善することができるため、該脱臭・除湿マットの快適性を効果的に向上させる。
【００２８】
好ましくは、該脱臭・除湿マットはその状態を検出するための湿度インジケータカード３をさらに含み、該湿度インジケータカード３は上部繊維層１１上に設けられ、湿度インジケータカード３の色から該脱臭・除湿マットの状態を判定することができる。
【００２９】
湿度インジケータカード３は湿度表示カード、湿度カードまたはＨＩＣとも呼ばれ、該湿度インジケータカード３は密閉空間の湿度状況を表示するためのカードであり、湿度インジケータカード３の発色領域の色の変化により該脱臭・除湿マットの湿度状態を判定する。
【００３０】
例えば、脱臭・除湿マットが正常な状態である場合、湿度インジケータカード３の発色領域の色は青色であり、このとき該脱臭・除湿マットは正常に使用でき、
【００３１】
脱臭・除湿マットの水分飽和度が９０％以上になると、該湿度インジケータカード３の発色領域の色が赤くなり、このとき該脱臭・除湿マットは除湿機能を継続できなくなり、ユーザは該脱臭・除湿マットを日干しまたは乾燥して、該脱臭・除湿マット内の水分を除去する必要があるが、該脱臭・除湿マットは脱臭・除湿の作用を果たし続けることができる。
【００３２】
なお、該湿度インジケータカード３の配置位置は、上部繊維層１１に限定されず、下部繊維層１２上に配置してもよく、その主な作用はユーザが脱臭・除湿マット内の水分飽和度を理解することであり、該湿度インジケータカード３の位置は特に限定されない。
【００３３】
好ましくは、該脱臭・除湿マットはエッジカバー層４をさらに含み、上記の上部繊維層１１のエッジはエッジカバー層４を介して下部繊維層１２のエッジに接続され、該エッジカバー層４と、上記の上部繊維層１１および下部繊維層１２によって充填層２を拘束する効果を果たし、充填層２の位置の変化を抑止し、同時に該エッジカバー層４は装飾効果も有し、異なるひものエッジカバー層４によって該脱臭・除湿マットを美化する。
【００３４】
好ましくは、上記の固体ゴム層２４はエチレンポリマーによって形成される。
【００３５】
好ましくは、上記のシリカゲル粒子２２はＢ型シリカゲルから形成される。
【００３６】
Ｂ型シリカゲルは無機シリカゲルの一種であり、非晶質の物質である高活性吸着物質の一種であり、水や溶媒に不溶で、無毒・無味であり、化学的に安定であり、強アルカリとフッ化水素酸以外の物質と反応しない。
【００３７】
該Ｂ型シリカゲルの細孔構造は、粗い細孔と微細な細孔の間のシリカゲルであり、細孔容積は０．６〜０．８５ｍｌ/ｇであり、平均細孔径は４．５〜７．０ｎｍであり、液体吸着剤、吸着乾燥剤として使用でき、良好な除湿効果を有する。
【００３８】
また、該Ｂ型シリカゲルは、乾燥、日干しで繰り返し使用できるという特徴があり、該Ｂ型シリカゲルは、空気との接触面積を増やすため、球状または塊状の粒子であり、該Ｂ型シリカゲルによって該脱臭・除湿マットの低湿度環境を保持し、ダニおよびカビを抑制し、ユーザにより良好な生活環境を提供する。
【００３９】
好ましくは、上部繊維層１１および下部繊維層１２は、すべてニードルパンチ不織布で形成され、上部繊維層１１および下部繊維層１２は該脱臭・除湿マットの引張強度および通気効果を保証できるとともに、充填層２をよく保護でき、該脱臭・除湿マットの耐久性を向上させる。
【００４０】
好ましくは、上部繊維層１１および下部繊維層１２には抗菌繊維がそれぞれ設けられている。
【００４１】
抗菌繊維はメチシリン耐性黄色ブドウ細菌などに対して良好な抗菌・殺菌機能を有し、感染を防ぐことができ、抗菌繊維は家庭用繊維製品、下着、スウェットなどに広く使用され、それを含む上部繊維層１１および下部繊維層１２は良好な抗菌効果を発揮し、ユーザを細菌から守る。
【００４２】
好ましくは、上記のエッジカバー層４もニードルパンチ不織布で形成される。
【００４３】
好ましくは、上記の充填層２の坪量は１００〜２５０ｇ／ｍ２であり、上部繊維層１１および下部繊維層１２の坪量は８０〜２５０ｇ／ｍ２である。
【００４４】
該脱臭・除湿マットは以下のように製造される。
【００４５】
まず、珪藻土を混合し、塩アシスト焼結剤とソーダ灰共溶媒を加えて焼成し、塊状構造にして、珪藻土を不規則な珪藻土粒子２１に分解して空気との接触面積を増やし、珪藻土粒子２１中の細孔構造によって最大限に空気中の水分を吸収し、良好な除湿効果を達成する。
【００４６】
次に、珪藻土粒子２１、シリカゲル粒子２２および備長炭粒子２３を加熱スクリューで撹拌乾燥し、珪藻土粒子２１、シリカゲル粒子２２および備長炭粒子２３を均一に分布させた後、固体ゴム層２４に加えて、珪藻土粒子２１、シリカゲル粒子２２および備長炭粒子２３を固体ゴム層２４中に均一に混合させ、充填層２の構造を固定する。
【００４７】
最後に、上部繊維層１１および下部繊維層１２を使用して充填層２を包み、必要なサイズに応じて切断し、切断部分に対してエッジカバー層４によって包み処理を行い、該脱臭・除湿マットの製造を完了する。
【００４８】
以上の説明は本考案の具体的な実施形態に過ぎず、本考案の保護範囲を限定するものではなく、当業者が本考案により開示される技術的な範囲で容易に想到できる変化や置換は、すべて本考案の保護範囲に含まれる。したがって、本考案の保護範囲は実用新案登録請求の範囲によって示される。
【符号の説明】
【００４９】
１１    上部繊維層
１２    下部繊維層
２      充填層
２１    珪藻土粒子
２２    シリカゲル粒子
２３    備長炭粒子
２４    固体ゴム層
３      湿度インジケータカード
４      エッジカバー層
【図１】
0003225088.tif 000003
【図２】
0003225088.tif 000004